(57)【要約】【課題】簡単に設置、撤去ができる貯水装置を提供する。【解決手段】密性および可撓性を備えた材料によって袋体を構成する。この袋体には集水口を開口し、集水口の周囲には、袋体の変形に抵抗する形状保持材を配置する。集水口の周辺には、集水口よりも高い高さを維持する堤体を設ける。さらに集水口にはフィルターを設ける。【選択図】        図１
2005256298.tif 000002
【特許請求の範囲】
【請求項１】
水密性および可撓性を備えた材料によって袋体を構成し、
この袋体には集水口を開口し、
集水口の周囲には、袋体の変形に抵抗する形状保持材を配置し、
集水口の周辺には、集水口よりも高い高さを維持する堤体を設け、
さらに集水口にはフィルターを設けて構成した、
貯水装置。
【請求項２】
集水口と、周囲の堤体の上部との間には、
集水用のシートを配置し、
シートによって雨水や雪を集めて集水口に供給するように構成した、
請求項１記載の、貯水装置。
【請求項３】
袋体には、
初期浮力を与えるための空間を形成して構成した、
請求項１記載の、貯水装置。
【発明の詳細な説明】
【技術分野】
【０００１】
本発明は、貯水装置に関するものである。
【背景技術】
【０００２】
特許文献を検討するまでもなく、雨水を集める簡単な方法としては、バケツやタンク、あるいは子供のプールのような容器を屋根や地上に置いておく方法が知られている。
【発明の開示】
【発明が解決しようとする課題】
【０００３】
バケツやタンクのような単なる容器を置いておく方法はきわめて安価であるが次のような問題を備えている。
＜１＞  雨水の集水のために、容器に蓋をせずに開放しておくと、たまった水が蒸発したり、内部に微生物が繁殖してしまい、生活用水には利用し難い。
＜２＞  蒸発や微生物の繁殖を解決するには、容器に蓋をして、その蓋は中央を低くへこませておき、低い位置部に集水口を開口しておけば、その開口部から容器の内部に集水することができる。
＜３＞  しかしそのような容器は、小型な容器であってはわずかな雨量しか集水することができない。
＜４＞  大型のタンクとして製造すると、屋上に運び込んで設置するには多くの労力を要し、いったん設置した後には容易に撤去することができない。
＜５＞  空気で膨張させた子供のプールのような容器は、運搬、撤去は簡易であるが、空気圧を長年維持することは困難である。
＜６＞  特に、設置する面が凹凸のある不整地や傾斜地である場合には、従来の容器やタンクは使用することが困難である。
【課題を解決するための手段】
【０００４】
上記のような課題を解決するために本発明の貯水装置は、水密性および可撓性を備えた材料によって袋体を構成し、この袋体には集水口を開口し、集水口の周囲には、袋体の変形に抵抗する形状保持材を配置し、集水口の周辺には、集水口よりも高い高さを維持する堤体を設け、さらに集水口にはフィルターを設けて構成した、貯水装置を特徴としたものである。
【発明の効果】
【０００５】
本発明は上記したようになるから、次のような効果を達成することができる。
＜１＞本体は、柔軟な素材によって構成した袋体１であるから、設置場所を選ばず、建物の屋上でも、山の斜面でも、あるいは水上に浮かべても利用することができる。したがって基本的な寸法のものを数種類用意しておけば、どのような場所へでも直ちに設置して貯水を開始することができる。
＜２＞袋体１を筒状に巻き取ることができるから、運搬、展開設置、撤去などがきわめて容易である。したがって従来の貯水装置に比較して、設置、運搬、あるいは撤去費用を大幅に低く抑えることができる。
＜３＞柔軟な素材で形成した袋体１によって構成するから、設置場所に多少の凹凸があっても問題なく設置することができる。
＜４＞既設の貯水池に本発明の貯水装置を多数枚、浮かべれば、貯水池の表面からの水の蒸発を抑え、かつ雨水は確保することができるから、夏季の水不足を解消することができる。
＜５＞樹木を乱伐してしまったような樹木のない斜面に、本発明の貯水装置を段段畑状に配置すれば、雨水を一時的に保存してその後長い時間をかけて徐々に排水することができる。そのために、斜面への急激な流出を阻止することができ、土砂崩れや山津波のような事故を防止することができる。
＜６＞集水した水が蒸発したり、内部で微生物が繁殖することを大幅に低減することができるから、生活用水としてそのまま利用することができる。
＜７＞屋上を緑化する場合に、本発明の装置を使用すれば、屋上まで水を押し上げることなく、必要とする水を常時、確保し供給することができる。
【発明を実施するための最良の形態】
【０００６】
以下図面にもとづいて本発明の一実施例を説明する。
【実施例】
【０００７】
＜１＞袋体。
本発明の貯水装置は、ウオーターベッドのように、水密性、可撓性を備えた柔軟な素材によって構成した袋体１によって構成する。
すなわち、底面膜１３と上面膜１１、および周囲を包囲した壁面膜１２によって構成した箱状の袋体１を基本形状とする。
ただし、袋体１の全体形状は図の矩形に限定するものではなく、円盤状、多角形状、長い帯状、その他任意の形状のものを採用することができる。
袋体１を構成する柔軟な素材とは、公知の可撓性の材料を広く採用することができる。
さらに袋体１を構成する素材は、単に柔軟であるだけでなく、各種のゴムのように、伸縮性に富んだ材料であるとより有効である。
袋体の上面膜１１と底面膜１３とが密着していると、中間に水の浸入が困難である。そのために例えば集水口４の周辺に下向きに突起物をスペーサ１４として突設しておくと、空間を確保して初期浮力を与えることができる。
あるいは袋体１に加工するのではなく、地表面にスペーサ１４を設置しておき、底面巻く１３と上面膜１１との間に空間を形成して構成することもできる。
【０００８】
＜２＞集水口４。
袋体１の上面膜１１の一部には、水を袋内に取り入れる集水口４を開孔する。
この集水口４は、袋体１の上面膜１１の一部に開孔して設ける。
この集水口４は、単なる小径の穴であるが、その上部空間を公知の材料よりなる有孔のフィルター４１などで囲えば、ゴミや昆虫の袋体１の内部への侵入を阻止することができる。
【０００９】
＜３＞排水口５。
貯水した水は何らかの用途に使用するのであるから、排水口５が必要となる。そのために、袋体１の上面膜１１、底面膜、あるいは壁面膜１２に、集水口４とは別の位置に排水口５を設ける。
あるいは集水口４にホースを差し込んでポンプでくみ上げれば、集水口４を排水口５として兼用することもできる。
排水口５には、そこに弁を設置し、弁の開閉によって直接利用することができる。あるいは弁にパイプをつなげて、所定の位置まで水を誘導する。
弁として、電磁弁のような電流、空気圧、油圧などで操作可能な弁を使用すれば、遠方において袋体１の内部の水の利用が可能となる。
【００１０】
＜４＞形状保持材２。
集水口の周囲には袋体１の変形に抵抗するための、軽量な形状保持材２を配置する。
形状保持材２は、例えば、発泡スチロールの板や、周囲を枠で補強した網体、塩ビパイプのような軽量な棒状体を井桁状に組み合わせたもの、などを使用することができる。
この形状保持材２を、袋体１の上面膜１１の上に配置して、適当な間隔で紐などで締結しておく。
集水時に袋体１の上面膜１１は、中央の盛り上がった曲面を描く傾向があるが、この形状保持材２を取り付けてあることから、中央の極端な盛り上がりを抑えることができる。
なお、設置時に底面膜１３と、上面膜１１とが密着した状態では、最初に両膜の間に水が流入することが困難となることも予想される。そのために図３に示すように、形状保持材２には下向きに空間維持用の突起２１を突設しておくことも可能である。
この空間維持用の突起２１は、袋体１の上面膜１１の内部側に固定しておくことも可能である。
【００１１】
＜５＞堤体３。
集水口の周囲、袋体の縁部には、堤体３を設ける。
堤体３は、例えば多少直径の太いプラスチックパイプやビニールパイプ、発泡ポリエチレンの長方形体などによって構成する。
この堤体３の上端面は、袋体１を設置した場合に、常に集水口４の位置よりも高い高さを維持できることが必要である。
集水口４の周囲に堤体３が設けてあることによって、堤体３に囲まれた範囲の雨水は集水口４に集水される。
【００１２】
＜６＞集水用シート６。
集水口と堤体３の上部との間には、集水用シート６を配置する。
すると、このシート６によって雨水を集水口に集めることがより容易になる。
すなわち、堤体３の上端面は集水口４の高さよりも高いから、集水用シート６は集水口４を最低部として周囲から集まった、すり鉢状の傾斜面を形成するからである。
この集水用シート６は、集水作業を行うと同時に、袋体１が外部からの力で破損したり、日光の紫外線で劣化することから袋体を保護する作用も期待できる。
そのために集水用シート７は、不透水性だけでなく、耐切断性や耐紫外線の高い材料のもので構成する。
【００１３】
＜７＞袋体１の設置。
上記の構成の袋体１を、雨にさらされる場所に設置する。
例えば建物の屋上、大地の上、水面上などである。
その際に設置場所が建物の屋上であれば各種の給排水管や梁が突出している場合もある。また地表面であれば起伏の存在は避けられない。
しかし前記したように、袋体１は柔軟な材料で構成してあるから、給排水管や梁を撤去したり、大地を整地する必要がなく、直接その上に袋体１を設置することができる。
【００１４】
＜８＞運搬、設置作業。
袋体１の製造後の姿は、いまだ膨張をしておらず、比較的薄い平面形状を呈している。さらに、袋体１は柔軟な材料で構成してある。
そのために、設置場所までの運搬は、円筒状に巻いた状態で自動車の荷台に乗せて行うことができ、簡単できわめて経済的である。
また、設置の際には筒状に巻いた状態の袋体１を転がしてほどいて行けば、そのまま設置を完了することができる。
【００１５】
＜９＞集水の機能。
上記のような状態で敷設した袋体１の表面に雨が降ると、堤体３で包囲された範囲内の雨水が、集水口４に集まり、袋体１の内部に流入する。
すると、袋体１の上面膜１１は浮き上がって、袋体１は膨張する。
その結果，それまで縮まっていた袋体１が水圧によって風船が膨らむように徐々に展開、膨張し、その内部容積は集水量に応じて拡大してゆく。
その場合に袋体１の素材として、ゴムのような伸縮性の大きいものを使用すれば、より大きな内部容積を得ることができる。
こうして袋体１の内部には雨水で満たされてゆく。
袋体１の内部に水が充満すれば、それ以上の内部への流入は不可能であるから、その後の雨水はオーバーフローして外部へ排除される。
【００１６】
＜１０＞傾斜地への設置。
本発明の装置は、特別な設計をすることなく、不整地はもちろん、角度の大きい傾斜地にも設置することができる。
その場合に雨水は、袋体１の低い位置に集まり、初期には高い部分には貯水できない。しかし、低い位置から徐々に水位が上昇してやがて袋体１の内部は水で満たされる。
もし複数の集水口４の内で低い位置に集水口４があった場合に、そこに逆支弁を取り付けておけば、低い位置の排水口５から水が排水することを阻止することができる。
【００１７】
＜１１＞排水。
袋体１の内部に集水した水を使用するには、排水口５の弁を開けばよい。
集水口４と排水口５を併用する場合には、集水口４からパイプを挿入し、ポンプを使用してこのパイプから水をくみ上げることもできる。
【００１８】
＜１２＞撤去。
なんらかの目的で貯水装置を撤去する場合が考えられる。
その場合には袋体１の内部の水を完全に排水すれば、再度、袋体１の姿は上面膜１１と下面膜１３とが接触した、薄い平面形状に戻る。
したがって、これを端部から巻いてゆけば、簡単に筒状に巻き取ることができる。その筒状体を自動車の荷台に載せて迅速に回収することができる。
【００１９】
＜１３＞複数段の積み重ね。
大容量の水を貯水したい場合に、袋体１の高さを確保することが必要となる。
しかし袋体１はその上面膜１１も、壁面膜１２も曲面を形成する傾向があるから、形状保持材２によって規制したとしても、最後はボールのように丸く膨らんでしまい、一定の高さ以上に高くすることは困難である。
そこで、壁面膜１２の高さを高くせず、それに代わって上記の構成の袋体１を複数段、積み重ねて使用することができる。
そうすると、最初の雨水は最上段の袋体１の集水口４に集まってもそのまま流下して最下段の袋体１の内部にまで流れ込む。
最下段の袋体１の内部に水が充満すれば、その上の段の袋体１への貯水が始まる。こうして積み重ねた段数に応じた大容量の水を貯水することができる。
しかし通常は単に水を貯めるだけでは意味がない。貯まった水は順次、生活や作業用として排水するのが普通であるから、袋体１の内部に極端に大量の水を貯水する要求はあまり高くないと考えられる。
【図面の簡単な説明】
【００２０】
【図１】本発明の貯水装置の実施例の収縮状態の説明図。
【図２】集水して膨張した状態の説明図。
【図３】斜面に設置した状態の集水後の状態の説明図。
【図４】他の実施例の収縮した状態の説明図。
【図５】集水して膨張した状態の説明図。
【符号の説明】
【００２１】
１：袋体
２：形状保持材
３：堤体
４：集水口
５：排水口
６：集水用シート
【図１】
2005256298.tif 000003
【図２】
2005256298.tif 000004
【図３】
2005256298.tif 000005
【図４】
2005256298.tif 000006
【図５】
2005256298.tif 000007